(57)【要約】【課題】ユーザが簡便な操作で容易に装置間のペアリングの状態を確認する。【解決手段】第１の装置または第２の装置の少なくともいずれかに含まれるセンサによって物理的な刺激が検出された場合に、上記第１の装置または上記第２の装置の少なくともいずれかに含まれる出力装置による上記第１の装置および上記第２の装置のペアリング状態の表示を変化させる出力制御部を備える制御装置が提供される。【選択図】図６
2016162368.tif 000002
【特許請求の範囲】
【請求項１】
第１の装置または第２の装置の少なくともいずれかに含まれるセンサによって物理的な刺激が検出された場合に、前記第１の装置または前記第２の装置の少なくともいずれかに含まれる出力装置による前記第１の装置および前記第２の装置のペアリング状態の表示を変化させる出力制御部を備える制御装置。
【請求項２】
前記出力制御部は、前記物理的な刺激が検出された場合に前記ペアリング状態の表示を開始させる、請求項１に記載の制御装置。
【請求項３】
前記物理的な刺激は、第１の時間的なパターンで検出され、
前記出力制御部は、前記第１の時間的なパターンに従った前記ペアリング状態の表示を開始させる、請求項２に記載の制御装置。
【請求項４】
前記出力制御部は、前記物理的な刺激が検出された場合に前記ペアリング状態の表示を終了させる、請求項１に記載の制御装置。
【請求項５】
前記物理的な刺激が検出された場合に前記ペアリング状態を変化させるペアリング処理部をさらに備え、
前記出力制御部は、変化後の前記ペアリング状態に応じて前記ペアリング状態の表示を変化させる、請求項１に記載の制御装置。
【請求項６】
前記物理的な刺激が検出された場合は、最初に前記センサによって物理的な刺激が検出された第１の場合と、その後さらに前記センサによって物理的な刺激が検出された第２の場合とを含み、
前記ペアリング状態は、第１の状態と、前記第１の状態から遷移可能な第２の状態とを含み、
前記第１の場合に、前記出力制御部は前記第１の状態の表示を開始させ、
前記第２の場合に、前記ペアリング処理部は前記ペアリング状態を前記第２の状態に変化させ、前記出力制御部は前記第１の状態の表示を終了させて前記第２の状態の表示を開始させる、請求項５に記載の制御装置。
【請求項７】
前記第１の状態の表示は、光、音、または振動を第１の時間的なパターンで発生させることを含み、
前記第２の場合は、前記第１の時間的なパターンに対応する前記物理的な刺激が検出された場合を含む、請求項６に記載の制御装置。
【請求項８】
前記第１の状態は、前記第１の装置と前記第２の装置とがペアリング可能である状態を含み、
前記第２の状態は、前記第１の装置と前記第２の装置とがペアリングされて利用可能である状態を含む、請求項６に記載の制御装置。
【請求項９】
前記第１の状態は、前記第１の装置と前記第２の装置とがペアリングされて利用可能である状態を含み、
前記第２の状態は、前記第１の装置と前記第２の装置との間のペアリングが解消された状態を含む、請求項６に記載の制御装置。
【請求項１０】
前記物理的な刺激は、加速度の変化によって検出される、請求項１に記載の制御装置。
【請求項１１】
第１の装置は、ユーザによって装着または携帯される装置を含み、
前記第２の装置は、前記ユーザが一時的に利用可能な複数の装置を含み、
前記出力制御部は、前記第１の装置に含まれるセンサによって物理的な刺激が検出された場合に、前記第２の装置の中から、前記ユーザによる利用に適した１または複数の装置を抽出し、該抽出された１または複数の装置に含まれる出力装置による前記ペアリング状態の表示を開始させる、請求項１に記載の制御装置。
【請求項１２】
前記出力制御部は、前記第１の装置が利用可能なユーザプロファイルを参照して、前記１または複数の装置を抽出する、請求項１１に記載の制御装置。
【請求項１３】
プロセッサが、第１の装置または第２の装置の少なくともいずれかに含まれるセンサによって物理的な刺激が検出された場合に、前記第１の装置または前記第２の装置の少なくともいずれかに含まれる出力装置による前記第１の装置および前記第２の装置のペアリング状態の表示を変化させることを含む制御方法。
【請求項１４】
第１の装置または第２の装置の少なくともいずれかに含まれるセンサによって物理的な刺激が検出された場合に、前記第１の装置または前記第２の装置の少なくともいずれかに含まれる出力装置による前記第１の装置および前記第２の装置のペアリング状態の表示を変化させる機能をコンピュータに実現させるためのプログラム。
【発明の詳細な説明】
【技術分野】
【０００１】
本開示は、制御装置、制御方法、およびプログラムに関する。
【背景技術】
【０００２】
近年、さまざまな装置に通信機能が与えられ、装置間の直接的な通信やネットワークを介した通信などによって、多種多様な装置の連携が実現されている。例えば、連携する装置は、それぞれが固有の機能を果たしつつ協働することによって、個々の装置では実現されないような多様な機能をユーザに提供してもよい。あるいは、ユーザが保有している装置と共有の装置とを連携させることによって、共有の装置があたかもユーザが保有する装置であるかのように機能してもよい。このような場合、連携する装置の中には、それ自身が利用可能な情報を他の装置に提供することによって他の装置の機能に影響を与えることを主な役割とする装置が含まれてもよい。装置の連携に関連する技術は多くあるが、そのうちの１つが特許文献１に記載されている。
【先行技術文献】
【特許文献】
【０００３】
【特許文献１】特開２０１５−３５１６８号公報
【発明の概要】
【発明が解決しようとする課題】
【０００４】
例えば２つの装置を連携させるためには、それらの装置をペアリングする手順が実行される。ペアリングの手順は、例えば、装置間で通信をセットアップし、それぞれの装置に互いを認証させることを含む。さらにその後、それぞれの装置が連携して動作するにあたって必要な各種の情報が交換されうる。このような手順は、例えばいずれかの装置、またはそれらの装置を管理する他の装置においてユーザが明示的な操作を与えることによって実行されてもよい。また、例えばそれぞれの装置が近接した（より具体的には、Ｂｌｕｅｔｏｏｔｈ（登録商標）などによる通信が可能な距離になった）場合に、自動的にペアリングの手順を進めるようにそれぞれの装置を設定することも可能である。
【０００５】
しかしながら、例えば特許文献１に記載されたような技術は、そのようなペアリングの状態をユーザが認識するための手段を、必ずしも十分に用意しているとはいえない。例えば、ユーザが明示的な操作を与えることによってペアリングの手順が実行した場合、そのようにして成立したペアリングがその後の時点において有効であるかを確認するためには、改めて確認のための操作を実行する必要があった。また、自動的にペアリングが成立した場合も、ユーザが所望する装置の間でペアリングが成立しているか否かを確認するためには別途の操作が必要であった。
【０００６】
そこで、本開示では、ユーザが簡便な操作で容易に装置間のペアリングの状態を確認することを可能にする、新規かつ改良された制御装置、制御方法、およびプログラムを提案する。
【課題を解決するための手段】
【０００７】
本開示によれば、第１の装置または第２の装置の少なくともいずれかに含まれるセンサによって物理的な刺激が検出された場合に、上記第１の装置または上記第２の装置の少なくともいずれかに含まれる出力装置による上記第１の装置および上記第２の装置のペアリング状態の表示を変化させる出力制御部を備える制御装置が提供される。
【０００８】
また、本開示によれば、プロセッサが、第１の装置または第２の装置の少なくともいずれかに含まれるセンサによって物理的な刺激が検出された場合に、上記第１の装置または上記第２の装置の少なくともいずれかに含まれる出力装置による上記第１の装置および上記第２の装置のペアリング状態の表示を変化させることを含む制御方法が提供される。
【０００９】
また、本開示によれば、第１の装置または第２の装置の少なくともいずれかに含まれるセンサによって物理的な刺激が検出された場合に、上記第１の装置または上記第２の装置の少なくともいずれかに含まれる出力装置による上記第１の装置および上記第２の装置のペアリング状態の表示を変化させる機能をコンピュータに実現させるためのプログラムが提供される。
【発明の効果】
【００１０】
以上説明したように本開示によれば、ユーザが簡便な操作で容易に装置間のペアリングの状態を確認することができる。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態について概念的に説明するための図である。
【図２】本開示の一実施形態に係るシステムの例について説明するための図である。
【図３】本開示の一実施形態におけるペアリング状態の表示の第１の例を示す図である。
【図４】本開示の一実施形態におけるペアリング状態の表示の第２の例を示す図である。
【図５】本開示の一実施形態におけるペアリング状態の表示の第３の例を示す図である。
【図６】本開示の一実施形態におけるシステムの機能構成例を概略的に示すブロック図である。
【図７】本開示の一実施形態においてペアリング状態の表示を変化させる処理の例を示すフローチャートである。
【図８】本開示の一実施形態においてペアリング状態を変化させる処理の例を示すフローチャートである。
【図９】本開示の他の実施形態の第１の例について説明するための図である。
【図１０】本開示の他の実施形態の第２の例について説明するための図である。
【図１１】本開示の他の実施形態の第３の例について説明するための図である。
【図１２】本開示の実施形態に係る情報処理装置のハードウェア構成例を示すブロック図である。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
なお、説明は以下の順序で行うものとする。
１．一実施形態の概要
２．機能構成
３．処理フロー
４．一実施形態に関するまとめ
５．他の実施形態
６．使用シナリオの例
６−１．ペンとリング型端末とのペアリング開始および終了
６−２．貸自転車
７．ハードウェア構成
８．補足
【００１５】
（１．一実施形態の概要）
図１は、本開示の一実施形態について概念的に説明するための図である。図示されているように、本実施形態では、ペン１００（ペン型端末）と、ウェアラブル装置２００（より具体的には、例えばリング型端末２００ａやリストウェア２００ｂなど。以下の説明では例としてリング型端末２００ａを示す場合があるが、同様の構成はリストウェア２００ｂや、その他のウェアラブル装置でも可能である）とがペアリングされる。ペン１００は、演算や通信などの機能を有し、独立してネットワークや他の端末装置と通信しながら処理を実行することが可能なものであってもよいし、レシーバ１５０とともに使用されるものであってもよい。なお、以下の説明では、簡単のためにペン１００だけを図示する場合があるが、そのような場合も、ペン１００において実行されるものとして説明される処理は、レシーバ１５０が存在する場合には、ペン１００またはレシーバ１５０のいずれかで実行される。
【００１６】
ここで、ペン１００とウェアラブル装置２００との間のペアリングは、例えば、これらの装置がＢｌｕｅｔｏｏｔｈ（登録商標）やＮＦＣ（Near  Field  Communication）などによって互いに通信し、さらに互いの装置を認証し、提供されるサービスにおいて一方を他方に関連付けることを含む。ペアリングが成立した段階において、例えば、ペン１００は、それを使用して筆記を実行しているユーザを、ウェアラブル装置２００に登録されたユーザＩＤに基づいて特定することができる。また、ウェアラブル装置２００は、そのユーザが使用している他の装置として、ペン１００を特定することができる。
【００１７】
図２は、本開示の一実施形態に係るシステムの例について説明するための図である。図示された例において、システム１０は、ペン１００およびリング型端末２００ａと、モバイル端末２５０と、サーバ３００と、タブレット４００ａと、電子黒板４００ｂとを含む。図では、ペン１００とリング型端末２００ａとのペアリング前に可能になっている通信が破線で、ペアリング後に新たに可能になる通信が実線で、それぞれ示されている。
【００１８】
ペアリング前の状態において、ペン１００は、サーバ３００と通信している。サーバ３００は、例えばペン１００、タブレット４００ａ、および電子黒板４００ｂと、例えばＷｉ−Ｆｉなどで通信し、これらの装置にサービスを提供している。より具体的には、例えば、これらの装置は学校の教室や会議室に設置され、複数のユーザによって共用されてもよい。この場合、ペン１００は、電子黒板４００ｂへの筆記のために用意されている。タブレット４００ａは、ペン１００とセットになっていて、共通のユーザによって使用されることが想定されている。一方、リング型端末２００ａは、上記の各装置とは別に、モバイル端末２５０と例えばＢｌｕｅｔｏｏｔｈ（登録商標）などで通信している。リング型端末２００ａは、例えば、モバイル端末２５０へのメッセージの着信などの通知をバイブレーションなどによって出力したり、加速度や生体情報などのセンシング結果をモバイル端末２５０に送信したりするのに利用される。
【００１９】
システム１０において、ペン１００とリング型端末２００ａとの間でペアリングが成立すると、例えば、リング型端末２００ａを介してペン１００が認識されることによって、ペン１００が例えばＢｌｕｅｔｏｏｔｈ（登録商標）などでモバイル端末２５０と直接的に通信することが可能になる。また、リング型端末２００ａおよびペン１００を介してサーバ３００にネットワーク上のモバイル端末２５０のアドレスを通知したり、逆にペン１００およびリング型端末２００ａを介してモバイル端末２５０にネットワーク上のサーバ３００のアドレスを通知したりすることによって、モバイル端末２５０とサーバ３００とが通信することが可能になる。このとき、モバイル端末２５０およびリング型端末２００ａのユーザは、ペン１００のユーザとして認識される。従って、サーバ３００は、ペン１００のユーザが誰であるのかを認識した上で、タブレット４００ａや電子黒板４００ｂにサービスを提供することができる。また、例えばサーバ３００からタブレット４００ａや電子黒板４００ｂのネットワーク上でのアドレスが通知されることによって、タブレット４００ａや電子黒板４００ｂとモバイル端末２５０との間で通信が実行されてもよい。
【００２０】
上記のように、ペン１００とリング型端末２００ａとの間でペアリングが成立し、モバイル端末２５０やサーバ３００を含むさまざまな装置の間で通信が可能になることによって、さまざまなサービスの提供が可能になる。例えば、ペン１００を用いて電子黒板４００ｂに筆記する際に、筆記したユーザ（リング型端末２００ａおよびモバイル端末２５０のユーザ）を識別することができる。この場合、ペン１００をユーザの数だけ用意しなくても、例えば筆記したユーザごとに色分けされた状態で電子黒板４００ｂに筆跡を表示させることができる。また、タブレット４００ａを介して、モバイル端末２５０へのメッセージの着信の通知などが出力されてもよい。例えば、タブレット４００ａや電子黒板４００ｂが設置される教室や会議室ではモバイル端末２５０を取り出さなくても、共用のタブレット４００ａでメッセージなどを確認することができる。
【００２１】
このように、例えばシステム１０においてペン１００とリング型端末２００ａとをペアリングすることは、さまざまな便益をユーザにもたらしうる。しかしながら、そのためには、ペン１００とリング型端末２００ａとをペアリングする手順を実行する必要がある。例えば、まずＢｌｕｅｔｏｏｔｈ（登録商標）やＮＦＣ（Near  Field  Communication）による装置間の通信をセットアップする手順として、一方の装置に表示されたコードを他方の装置で入力したり、一方の装置に表示されたペアリング可能な装置の中からペアリングを実行する装置を選択したりすることがある。このような手順によれば、所望の装置の間で確実に通信をセットアップすることができるが、少なくとも一方の装置においてディスプレイによるコードや装置情報の出力が必要である。例えばシステム１０では、ペン１００もリング型端末２００ａも、コードや装置情報を表示可能なディスプレイは有していない。リング型端末２００ａがペアリングに関する情報をモバイル端末２５０に送信し、モバイル端末２５０でコードや装置情報を表示させることは可能であるが、ペアリングの度にモバイル端末２５０を取り出すのは煩雑である。
【００２２】
そこで、例えば、ペン１００とリング型端末２００ａとが接近した時点で、Ｂｌｕｅｔｏｏｔｈ（登録商標）やＮＦＣによる装置間の通信を自動的にセットアップし、さらにペン１００とリング型端末２００ａとの認証およびサービス上の関連付けを自動的に完了させてもよい。しかし、この場合、ペアリングが成立したことが、ペン１００およびリング型端末２００ａのユーザにはわかりにくい。それゆえ、所望の装置の間でペアリングが成立したか否かを確認できないだけではなく、意図しない装置の間でペアリングが成立してしまっている場合（例えば、ペン１００が複数用意されている場合に、ユーザが手に持っているのとは異なるペン１００とリング型端末２００ａとの間でペアリングが成立しているような場合）も、ユーザはそれを知ることができないため、混乱が発生する可能性がある。
【００２３】
本実施形態では、例えばペン１００が有するセンサによって物理的な刺激（ペン１００を振る、叩く、立てるなど）が検出された場合に、ペン１００またはリング型端末２００ａが有するＬＥＤランプによってペン１００とリング型端末２００ａとのペアリング状態が表示される。このような表示のための制御は、例えばペン１００（またはレシーバ１５０）において実行されてもよいし、リング型端末２００ａまたはモバイル端末２５０で実行されてもよい。以下、本実施形態におけるペアリング状態の表示のいくつかの例について、さらに説明する。
【００２４】
図３は、本開示の一実施形態におけるペアリング状態の表示の第１の例を示す図である。図示された例では、ペン１００に対して振る、叩く、立てるなどの物理的な刺激が与えられた場合に、ペン１００とリング型端末２００ａとのペアリングの状態に応じて、リング型端末２００ａのＬＥＤ２０２が点灯する。ＬＥＤ２０２の点灯は、後述するように、例えばペン１００、またはペン１００とともに用いられるレシーバ１５０によって制御される。このとき、例えばＬＥＤ２０２の点灯の時間的なパターンを、ペン１００への物理的な刺激の時間的なパターンに対応させることによって、リング型端末２００ａにおけるＬＥＤ２０２の点灯がペン１００への刺激に対応して発生していることを明示することができる。
【００２５】
また、ＬＥＤ２０２の点灯の色などによって、ペン１００とリング型端末２００ａとのペアリングの状態が段階的に表現されてもよい。より具体的には、例えば、ペン１００とリング型端末２００ａとの通信はセットアップされているものの、認証およびサービス上の関連付けは実施されていない場合にはＬＥＤ２０２が黄色に点灯し、ペン１００とリング型端末２００ａとのペアリングが完了している場合にはＬＥＤ２０２が緑色に点灯してもよい。例えばこのような場合において、ユーザは、ペン１００に対して振る、叩く、立てるなどの物理的な刺激をさらに与えることによって、ペアリングの状態を変化させることが可能であってもよい。より具体的には、上記の例においてユーザがペン１００を振ってＬＥＤ２０２が黄色に点灯した場合、ユーザはさらにペン１００を振ることによって、ペン１００とリング型端末２００ａとのペアリングを完了させることが可能であってもよい。
【００２６】
図４は、本開示の一実施形態におけるペアリング状態の表示の第２の例を示す図である。図示された例では、ペン１００に対して振る、叩く、立てるなどの物理的な刺激が与えられた場合に、ペン１００とリング型端末２００ａとの間のペアリングの状態に応じて、ペン１００のＬＥＤ１０６と、リング型端末２００ａのＬＥＤ２０２とが点灯する。ＬＥＤ１０６およびＬＥＤ２０２の点灯は、後述するように、例えばペン１００、ペン１００とともに用いられるレシーバ１５０、リング型端末２００ａ、またはリング型端末２００ａとともに用いられるモバイル端末２５０によって制御される。このとき、例えばＬＥＤ１０６およびＬＥＤ２０２の点灯パターンを対応させる（例えば同期させる）ことによって、ＬＥＤ１０６およびＬＥＤ２０２の点灯がペン１００への刺激に対応して発生していることを明示することができる。また、この例でも、図３の例と同様に、ＬＥＤ１０６およびＬＥＤ２０２の点灯の色などによってペアリングの状態を段階的に表現したり、追加で物理的な刺激を与えることによってペアリングの状態を変化させたりすることが可能であってもよい。
【００２７】
図５は、本開示の一実施形態におけるペアリング状態の表示の第３の例を示す図である。図示された例は上記の図４の例に近く、ペン１００に対して振る、叩く、立てるなどの物理的な刺激が与えられた場合に、ペン１００とリング型端末２００ａとの間のペアリングの状態に応じて、ペン１００のＬＥＤ１０６と、リング型端末２００ａのＬＥＤ２０２とが点灯する。ＬＥＤ１０６およびＬＥＤ２０２の点灯は、後述するように、例えばペン１００、ペン１００とともに用いられるレシーバ１５０、リング型端末２００ａ、またはリング型端末２００ａとともに用いられるモバイル端末２５０によって制御される。図示された例では、ペン１００とリング型端末２００ａとが、ＬＥＤ１０６とＬＥＤ２０２とが近接するように配置されていることによって、ＬＥＤ１０６およびＬＥＤ２０２が互いに対応するパターンで点灯するときに、点灯を同期させるだけではなく、例えばＬＥＤ１０６とＬＥＤ２０２との間で光が流れるようにそれぞれの点灯パターンを制御するなど、様々なバリエーションが可能である。この例でも、図３の例と同様に、ＬＥＤ１０６およびＬＥＤ２０２の点灯の色などによってペアリングの状態を段階的に表現したり、追加で物理的な刺激を与えることによってペアリングの状態を変化させたりすることが可能であってもよい。
【００２８】
（２．機能構成）
図６は、本開示の一実施形態におけるシステムの機能構成例を概略的に示すブロック図である。図示された例において、システム１０には、ペン１００と、レシーバ１５０と、リング型端末２００ａと、モバイル端末２５０とが含まれている。なお、上記で図２を参照して説明したように、システム１０は、さらに他の構成要素を含んでもよい。
【００２９】
ペン１００は、筆記処理部１０２と、センサ１０４と、通信部１０８とを含む。ペン１００は、さらに、ＬＥＤ１０６を含んでもよい。筆記処理部１０２は、ペン１００による筆記に関する各種の処理を実行する。例えば、筆記処理部１０２は、ペン１００が紙や電子黒板４００ｂなどの筆記面などに接触しているか否かを判定するためのスイッチを含む。また、筆記処理部１０２は、ペン１００の筆記面上での位置を特定するための測位装置を含む。測位装置は、例えば筆記面上の位置ごとに固有のパターンを読み取るスキャナを含んでもよいし、レシーバ１５０との相対的な位置関係を検出する赤外線などの通信装置を含んでもよい。なお、筆記処理部１０２の構成については、上記の例には限られず、いわゆる電子ペンの構成として知られている各種の構成を採用することが可能である。筆記処理部１０２から出力される筆記に関するデータは、通信部１０８を介してレシーバ１５０に送信される。
【００３０】
センサ１０４は、例えば加速度センサを含み、ペン１００に対する振る、叩く、立てるなどの物理的な刺激を検出する。他の例において、センサ１０４は、角速度センサや、加速度センサと角速度センサとの併用によって上記のような物理的な刺激を検出してもよい。センサ１０４によるセンシング結果は、通信部１０８を介してレシーバ１５０に送信される。ＬＥＤ１０６は、必要に応じて（例えば上記の図４や図５の例のような場合に）設けられ、通信部１０８を介して受信されるレシーバ１５０からの制御信号に従って点灯する。通信部１０８は、例えばＢｌｕｅｔｏｏｔｈ（登録商標）の通信装置を含み、レシーバ１５０との間で上述したような各種の情報をやりとりする。また、通信部１０８は、例えばＢｌｕｅｔｏｏｔｈ（登録商標）によって、リング型端末２００ａの通信部２０６とも通信する。
【００３１】
レシーバ１５０は、通信部１５２と、筆記処理部１５４と、ペアリング処理部１５６と、出力制御部１５８とを含む。通信部１５２は、例えばＢｌｕｅｔｏｏｔｈ（登録商標）の通信装置を含み、ペン１００との間で各種の情報をやりとりする。筆記処理部１５４、ペアリング処理部１５６、および出力制御部１５８は、例えばＣＰＵなどのプロセッサがプログラムに従って動作することによって実現される。筆記処理部１５４は、ペン１００の筆記処理部１０２から提供される情報に従って、筆記のための各種の処理、より具体的には例えばペン１００の筆記上での移動軌跡の特定などの処理を実行する。レシーバ１５０の筆記処理部１５４の構成についても、このような例には限られず、いわゆる電子ペンのレシーバの構成として知られている各種の構成を採用することが可能である。
【００３２】
ペアリング処理部１５６は、ペン１００と他の装置（例えばリング型端末２００ａ）とのペアリングに状態を変化させる。より具体的には、ペアリング処理部１５６は、ペン１００と他の装置とのペアリングを開始させたり、ペアリングを終了させたりする。このとき、ペアリング処理部１５６は、ペアリングの状態を、通信のセットアップや認証、サービスにおける関連付けなどの段階ごとに変化させてもよい。ここで、付加的に、例えば上記で図３〜図５を参照して説明した例のように、ペアリング処理部１５６は、ペン１００のセンサ１０４によって検出された物理的な刺激に応じてペアリングの状態を変化させてもよい。ペアリング処理部１５６は、メモリまたはストレージ（図示せず）に、ペン１００と他の装置とのペアリングの状態を登録している。
【００３３】
出力制御部１５８は、ペン１００のセンサ１０４によって物理的な刺激が検出された場合に、ペアリング処理部１５６によって設定されているペン１００とリング型端末２００ａとのペアリング状態に応じて、リング型端末２００ａのＬＥＤ２０２を点灯させるための制御信号を生成する。制御信号は、レシーバ１５０の通信部１５２から、ペン１００の通信部１０８を介して、リング型端末２００ａの通信部２０６に送信される。さらに、ペン１００がＬＥＤ１０６を有する場合、出力制御部１５８は、ＬＥＤ１０６を点灯させるための制御信号をも生成する。この場合、出力制御部１５８は、例えばペン１００のセンサ１０４によって物理的な刺激が検出された場合に、ペアリング処理部１５６によって設定されているペン１００とリング型端末２００ａとのペアリングの状態に応じて制御信号を生成してもよい。例えば上記の図４や図５の例におけるＬＥＤ１０６の点灯は、このような出力制御部１５８の処理によって実現されうる。ペアリング処理部１５６がセンサ１０４によって検出された物理的な刺激に応じてペアリングの状態を変化させた場合、出力制御部１５８は、変化後のペアリング状態に応じてリング型端末２００ａのＬＥＤ２０２を点灯させるための制御信号を生成してもよい。なお、出力制御部１５８は、上記の処理とは別に、例えば筆記処理部１５４によって何らかの処理結果が得られた場合などにもＬＥＤ１０６を点灯させるための制御信号を生成してもよい。
【００３４】
なお、ＣＰＵなどのプロセッサを含むレシーバ１５０は、例えば後述する情報処理装置のハードウェア構成によって実現されうる。ペン１００が情報処理機能を有し、レシーバ１５０を必要としないような場合には、ペン１００が、後述する情報処理装置のハードウェア構成を含んで実現されうる。ペン１００がレシーバ１５０を伴わない場合、図６に示されたレシーバ１５０の機能構成は、ペン１００に含まれる。あるいは、レシーバ１５０の機能構成の一部は、ペン１００またはレシーバ１５０と通信するサーバ３００に含まれてもよい。
【００３５】
リング型端末２００ａは、ＬＥＤ２０２と、通信部２０６とを含む。リング型端末２００ａは、さらに、センサ２０４を含んでもよい。ＬＥＤ２０２は、通信部２０６を介して受信されるモバイル端末２５０からの制御信号に従って点灯する。さらに、ＬＥＤ２０２は、通信部２０６を介してペン１００から受信される制御信号に従って点灯する。上述の通り、この制御信号は、レシーバ１５０からペン１００を介して送信されるものでありうる。あるいは、通信部２０６は、ペン１００から受信された制御信号をモバイル端末２５０に転送し、モバイル端末２５０の出力制御部２５６が当該制御信号に基づいて新たにＬＥＤ２０２の制御信号を生成してもよい。センサ２０４は、例えば加速度センサや生体センサを含み、リング型端末２００ａにかかる加速度や、ユーザの脈拍や発汗などの生体情報を検出する。センサ２０４によるセンシング結果は、通信部２０６を介してモバイル端末２５０に送信される。通信部２０６は、例えばＢｌｕｅｔｏｏｔｈ（登録商標）の通信装置を含み、モバイル端末２５０との間で上述したような各種の情報をやりとりする。また、通信部２０６は、例えばＢｌｕｅｔｏｏｔｈ（登録商標）によって、ペン１００の通信部１０８とも通信する。
【００３６】
ここで、必要に応じて、例えばセンサ２０４に含まれる加速度センサは、リング型端末２００ａに対する振る、叩く、立てるなどの物理的な刺激を検出するために利用されてもよい。この場合、上記のペン１００の場合と同様に、通信部２０６からモバイル端末２５０に送信されたセンシング結果は、リング型端末２００ａで検出された物理的な刺激に応じて、出力制御部２５６がペン１００のＬＥＤ１０６および／またはリング型端末２００ａのＬＥＤ２０２を点灯させるための制御信号を生成したり、ペアリング処理部２５４がペン１００とリング型端末２００ａとのペアリングの状態を変化させたりするために利用される。つまり、本実施形態の構成として説明される部分について、ペン１００の機能とリング型端末２００ａの機能、および、レシーバ１５０の機能とモバイル端末２５０の機能とは、それぞれ互換的でありうる。
【００３７】
モバイル端末２５０は、通信部２５２と、ペアリング処理部２５４と、出力制御部２５６とを含む。通信部２５２は、例えばＢｌｕｅｔｏｏｔｈ（登録商標）の通信装置を含み、リング型端末２００ａとの間で各種の情報をやりとりする。ペアリング処理部２５４、および出力制御部２５６は、例えばＣＰＵなどのプロセッサがプログラムに従って動作することによって実現される。なお、モバイル端末２５０は、例えばスマートフォンやタブレットなどの各種端末装置でありうる。こうした端末装置の通常の機能を実現するための機能構成は、既によく知られているため図示および詳細な説明を省略している。
【００３８】
ペアリング処理部２５４は、リング型端末２００ａと他の装置（例えばペン１００）とのペアリングに関する処理を実行する。より具体的には、ペアリング処理部２５４は、リング型端末２００ａと他の装置とのペアリングを開始させたり、ペアリングを終了させたりする。ペアリング処理部２５４は、ペアリングの状態を、通信のセットアップや認証、サービスにおける関連付けなどの段階ごとに変化させてもよい。なお、後述するように、図示された例においてレシーバ１５０とモバイル端末２５０との機能は互換的でありうるため、ペアリング処理部２５４が、リング型端末２００ａのセンサ２０４によって検出された物理的な刺激に応じてリング型端末２００ａとペン１００とのペアリングの状態を変化させることも可能でありうる。ペアリング処理部２５４は、メモリまたはストレージ（図示せず）に、リング型端末２００ａと他の装置とのペアリングの状態を登録している。
【００３９】
出力制御部２５６は、リング型端末２００ａのＬＥＤ２０２を点灯させるための制御信号を生成する。制御信号は、モバイル端末２５０の通信部２５２からリング型端末２００ａに送信される。上記のように、リング型端末２００ａで通信部２０６がペン１００から受信した制御信号がモバイル端末２５０に転送される場合、出力制御部２５６は、通信部２５２が受信した当該制御信号に基づいて、新たにＬＥＤ２０２の制御信号を生成する。また、後述するように、図示された例においてレシーバ１５０とモバイル端末２５０との機能は互換的でありうるため、出力制御部２５６が、リング型端末２００ａのセンサ２０４によって物理的な刺激が検出された場合に、ペアリング処理部２５４によって設定されているリング型端末２００ａとペン１００とのペアリングの状態に応じて、ペン１００のＬＥＤ１０６を点灯させるための制御信号を生成してもよい。この場合、さらに、出力制御部２５６は、同様にしてリング型端末２００ａのＬＥＤ２０４を点灯させるための制御信号を生成してもよい。
【００４０】
なお、ＣＰＵなどのプロセッサを含むモバイル端末２５０は、例えば後述する情報処理装置のハードウェア構成によって実現されうる。リング型端末２００ａが情報処理機能を有し、モバイル端末２５０を必要としないような場合には、リング型端末２００ａが、後述する情報処理装置のハードウェア構成によって実現されうる。リング型端末２００ａがモバイル端末２５０を必要としない場合、図６に示されたモバイル端末２５０の機能構成は、リング型端末２００ａにふくまれる。あるいは、モバイル端末２５０の機能構成の一部は、リング型端末２００ａまたはモバイル端末２５０と通信するサーバ（サーバ３００とは異なってもよい）に含まれてもよい。
【００４１】
（３．処理フロー）
図７は、本開示の一実施形態においてペアリング状態の表示を変化させる処理の例を示すフローチャートである。図示された処理は、例えば、図６に示したレシーバ１５０の出力制御部１５８によって実行される。
【００４２】
図示された例において、出力制御部１５８は、ペン１００のセンサ１０４によってトリガになる物理的な刺激（振る、叩く、立てる、など）が検出されたか否かを判定している（Ｓ１０１）。ここで、トリガになる物理的な刺激が検出された場合（ＹＥＳ）、続くＳ１０３〜Ｓ１０７の処理が実行される。この場合、まず、出力制御部１５８は、ペアリング処理部１５６によってメモリまたはストレージに登録されたペン１００と他の装置とのペアリングの状態を参照し、ペン１００とペアリングされている装置があるか否かを判定する（Ｓ１０３）。
【００４３】
Ｓ１０３の判定において、ペアリングされている装置があった場合（ＹＥＳ）、出力制御部１５８は、ペアリング相手（上述した例ではリング型端末２００ａ）に、ペアリング状態の表示をリクエストする（Ｓ１０５）。より具体的には、出力制御部１５８は、リング型端末２００ａのＬＥＤ２０２を、例えばＳ１０１で検出された物理的な刺激に対応したパターンで点灯させるための制御信号を生成し、通信部１５２およびペン１００を介してリング型端末２００ａに送信する。付加的な処理として、出力制御部１５８は、ペン１００でもペアリング状態を表示させてもよい（Ｓ１０７）。より具体的には、出力制御部１５８は、ペン１００のＬＥＤ１０６を、例えばＳ１０１で検出された物理的な刺激に対応したパターンで点灯させるための制御信号を生成し、通信部１５２を介してペン１００に送信してもよい。
【００４４】
以上のような処理によって、ユーザは、ペン１００に物理的な刺激を与えることによって、ペン１００と他の装置（例えばリング型端末２００ａ）との間にペアリングが成立していることを容易に認識することができる。
【００４５】
図８は、本開示の一実施形態においてペアリング状態を変化させる処理の例を示すフローチャートである。図示された処理は、例えば、図６に示したレシーバ１５０の出力制御部１５８およびペアリング処理部１５６によって実行される。
【００４６】
図示された例において、出力制御部１５８は、ペン１００のセンサ１０４によってトリガになる物理的な刺激（振る、叩く、立てる、など）が検出されたか否かを判定している（Ｓ１０１）。ここで、トリガになる物理的な刺激が検出された場合（ＹＥＳ）、続くＳ１０９〜Ｓ１１７の処理が実行される。この場合、まず、出力制御部１５８は、ペアリング処理部１５６によってメモリまたはストレージに登録されたペン１００と他の装置とのペアリングの状態を参照し、ペン１００とペアリング可能な装置があるか否かを判定する（Ｓ１０９）。ここで、ペアリング可能な装置とは、例えば、装置間の通信はセットアップされているものの、認証およびサービス上の関連付けが実施されていない装置でありうる。
【００４７】
Ｓ１０９の判定において、ペアリング可能な装置があった場合（ＹＥＳ）、出力制御部１５８は、ペアリング可能な相手（上述した例ではリング型端末２００ａ）に、ペアリング可能であることの表示をリクエストする（Ｓ１１１）。より具体的には、出力制御部１５８は、リング型端末２００ａのＬＥＤ２０２を、例えばＳ１０１で検出された物理的な刺激に対応したパターンで点灯させるための制御信号を生成し、通信部１５２およびペン１００を介してリング型端末２００ａに送信する。付加的な処理として、出力制御部１５８は、ペン１００でもペアリング可能であることを表示させてもよい（Ｓ１１３）。より具体的には、出力制御部１５８は、ペン１００のＬＥＤ１０６を、例えばＳ１０１で検出された物理的な刺激に対応したパターンで点灯させるための制御信号を生成し、通信部１５２を介してペン１００に送信してもよい。
【００４８】
さらに、上記のＳ１１１（およびＳ１１３）による表示の後、ペアリング処理部１５６は、ペン１００のセンサ１０４によってトリガになる物理的な刺激（振る、叩く、立てる、など）が検出されたか否かを判定している（Ｓ１１５）。ここでのトリガになる物理的な刺激は、Ｓ１０１において検出されたものと同じ刺激であってもよいし、異なる刺激であってもよい（異なる場合の例として、Ｓ１０１ではペン１００を１回叩き、Ｓ１１５ではペン１００を２回叩く、など）。トリガになる刺激が検出された場合（ＹＥＳ）、ペアリング処理部１５６は、ペン１００およびリング型端末２００ａの間で、認証およびサービス上の登録の処理を実行し、ペアリングを完了させる（Ｓ１１７）。この後、ペアリングが成立したことを示すために、出力制御部１５８によって、上記の図７に示したＳ１０５（およびＳ１０７）のようなペアリング状態の表示のための処理が実行されてもよい。
【００４９】
（４．一実施形態に関するまとめ）
以上で説明したような本開示の一実施形態では、レシーバ１５０において、ペン１００に含まれるセンサ１０４によって物理的な刺激が検出された場合に、ペン１００および／またはリング型端末２００ａに含まれるＬＥＤ１０６および／またはＬＥＤ２０２による、ペン１００およびリング型端末２００ａのペアリング状態の表示を変化させる出力制御部１５８が実装される。
【００５０】
上記で説明した例では、センサ１０４によって物理的な刺激が検出された場合に出力制御部１５８がＬＥＤ１０６および／またはＬＥＤ２０２によってペアリング状態を表示させたが、これは、ペアリング状態の表示を開始させているという点で、ペアリング状態の表示を変化させることの一例であるといえる。同様に、出力制御部１５８は、例えば図３〜図５に例示したようなＬＥＤ１０６および／またはＬＥＤ２０２の点灯が実施されている間に、センサ１０４によってさらに物理的な刺激が検出された場合、それまで継続されていたペアリング状態の表示を終了させてもよい。また、これらを組み合わせて、出力制御部１５８は、センサ１０４によって１回目の物理的な刺激が検出された場合にはＬＥＤ１０６および／またはＬＥＤ２０２によるペアリング状態の表示を開始させ、２回目の物理的な刺激が検出された場合には当該表示を終了させてもよい。
【００５１】
また、上記の例において、表示されるペアリング状態は、ペアリングが完了しているか否かだけではなく、ペアリングの中途状態、より具体的には例えば装置間の通信はセットアップされているものの、認証およびサービス上の関連付けが実施されていない状態などを含んでもよい。出力制御部１５８は、このようなペアリング状態を段階的に表示させてもよい。より具体的には、出力制御部１５８は、ペアリング状態の段階に応じて、ＬＥＤ１０６／およびまたはＬＥＤ２０２の点灯のパターンや色を異ならせてもよい。
【００５２】
また、本実施形態では、付加的に、レシーバ１５０において、ペン１００に含まれるセンサ１０４によって物理的な刺激が検出された場合に、ペン１００およびリング型端末２００ａのペアリング状態を変化させるペアリング処理部１５６が実装される。例えば出力制御部１５８によるペアリング状態の表示を前提としてペアリング処理部１５６が上記のような処理を実行することによって、ユーザは意図したペアリング状態の変更を、より確実かつ簡便に実行することができる。例えば、図８に示した例のように、出力制御部１５８によってペアリング可能な装置が表示された後に、ペン１００への物理的な刺激が検出された場合、ペアリング処理部１５６は、当該刺激が、ペアリングを完了させたいというユーザの意図を示すものと推測することができる。
【００５３】
なお、上記の例において、ペアリング状態の変化には、通信のセットアップ後の認証およびサービス上の関連付けだけではなく、通信のセットアップ自体が含まれてもよい。この場合、ペアリング処理部１５６は出力制御部１５８に先行して処理を実行してもよい。より具体的には、例えば、ペアリング処理部１５６は、センサ１０４によって最初の物理的な刺激（例えばペン１００を振る）が検出された場合（第１の場合）に、ペン１００と近接しているリング型端末２００ａとの間での通信をセットアップし、その後に出力制御部１５８がＬＥＤ１０６および／またはＬＥＤ２０２にペン１００とリング型端末２００ａとの間のペアリング状態（第１の状態：通信がセットアップされ、ペアリング可能である状態）の表示を開始させてもよい。
【００５４】
ここで、例えば、センサ１０４がさらに物理的な刺激（例えばペン１００を叩く）を検出した場合（第２の場合）、ペアリング処理部１５６はペン１００とリング型端末２００ａとの間の認証およびサービス上の関連付けを実行し、ペアリングを完了させてもよい。このとき、出力制御部１５８は、ＬＥＤ１０６および／またはＬＥＤ２０２によるペアリングの第１の状態の表示を終了させ、ペアリング処理部１５６による変化後のペアリング状態（第２の状態：ペアリングが完了し、利用可能である状態）の表示を開始させる。一方、２回目の物理的な刺激が所定の時間にわたって検出されなかったり、異なる種類の刺激（例えばペン１００をさらに振る）が検出されたりした場合、ペアリング処理部１５６はペン１００とリング型端末２００ａとの間の通信をシャットダウンしてもよい。同様に、既にペアリングが成立した状態で、センサ１０４によって所定の種類の物理的な刺激が検出された場合、ペアリング処理部１５６は、ペン１００とリング型端末２００ａとの間のペアリングを解消してもよい。
【００５５】
（５．他の実施形態）
図９は、本開示の他の実施形態の第１の例について説明するための図である。図９を参照すると、システム２０は、リング型端末２００ａと、カメラ５００ａとを含む。図示された例では、例えば上記で図３を参照して説明した例と同様に、カメラ５００ａに対して振る、叩くなどの物理的な刺激が与えられた場合に、カメラ５００ａとリング型端末２００ａとのペアリングの状態に応じて、リング型端末２００ａのＬＥＤが点灯する。この例において、ＬＥＤ２０２の点灯は、例えばカメラ５００ａが有するプロセッサによって実現される出力制御部（上記の図６に示された出力制御部１５８と同様の機能を有しうる）によって制御される。このとき、例えばＬＥＤ２０２の点灯パターンをカメラ５００ａへの物理的な刺激のパターンに対応させることによって、リング型端末２００ａにおけるＬＥＤ２０２の点灯がカメラ５００ａへの刺激に対応して発生していることを明示することができる。
【００５６】
上記の例と同様に、さらに、カメラ５００ａが有するプロセッサによって実現されるペアリング制御部（上記の図６に示されたペアリング処理部１５６と同様の機能を有しうる）が、カメラ５００ａに対して与えられた物理的な刺激に応じてカメラ５００ａとリング型端末２００ａとのペアリング状態を変化させてもよい。また、上記で図４および図５を参照して説明した例と同様に、カメラ５００ａにもＬＥＤなどの出力装置が設けられ、ペアリングの状態を表示することが可能であってもよい。また、上記のような出力制御部およびペアリング処理部に関して、カメラ５００ａの機能とリング型端末２００ａ（および図示しないモバイル端末２５０）の機能とは互換的でありうる。
【００５７】
カメラ５００ａとリング型端末２００ａがペアリングされることによって、例えばカメラ５００ａで撮影された画像の暗号化に用いられる公開鍵や、画像のアップロード先などの情報を、リング型端末２００ａからカメラ５００ａに提供することができる。例えば、カメラ５００ａで撮影されてメモリーカードなどに保存される画像を公開鍵方式で暗号化することによって、撮影された画像が、リング型端末２００ａとペアリングされた装置でしか参照できなくなる。従って、リング型端末２００ａとペアリングされていない他の装置、およびリング型端末２００ａとのペアリングが解消された後のカメラ５００ａでは撮影された画像を参照することができず、プライバシーを保護する上では有用である。また、リング型端末２００ａから、ペアリングされているカメラ５００ａに画像のアップロード先の情報が提供されることによって、カメラ５００ａで別途の設定をしなくても、撮影された画像をリング型端末２００ａのアカウントに関連付けられたストレージにアップロードすることができる。
【００５８】
図１０は、本開示の他の実施形態の第２の例について説明するための図である。図１０を参照すると、システム３０は、リング型端末２００ａと、自転車５００ｂとを含む。図示された例では、例えば上記で図４を参照して説明した例と同様に、自転車５００ｂに対して叩く、車輪を回転させるなどの物理的な刺激が与えられた場合に、自転車５００ｂとリング型端末２００ａとのペアリングの状態に応じて、リング型端末２００ａのＬＥＤ２００と、自転車５００ｂのＬＥＤ５０６とが点灯する。この例において、ＬＥＤ２０２およびＬＥＤ５０６の点灯は、例えば自転車５００ｂ（または自転車５００ｂが貸自転車である場合に、そのステーションに設けられる管理装置）が有するプロセッサによって実現される出力制御部（上記の図６に示された出力制御部１５８と同様の機能を有しうる）によって制御される。このとき、例えばＬＥＤ２０２およびＬＥＤ５０６の点灯パターンを自転車５００ｂへの物理的な刺激のパターンに対応させることによって、点灯が自転車５００ｂへの刺激に対応して発生していることを明示することができる。
【００５９】
上記の例と同様に、さらに、自転車５００ｂ（または管理装置）が有するプロセッサによって実現されるペアリング制御部（上記の図６に示されたペアリング処理部１５６と同様の機能を有しうる）が、自転車５００ｂに対して与えられた物理的な刺激などに応じて自転車５００ｂとリング型端末２００ａとのペアリング状態を変化させてもよい。また、上記で図３を参照して説明した例と同様に、自転車５００ｂには必ずしもＬＥＤ５０６のような出力装置が設けられなくてもよい。また、ＬＥＤ２０２およびＬＥＤ５０６の点灯は、上記の図５のように制御されてもよい。また、上記のような出力制御部およびペアリング処理部に関して、自転車５００ｂ（または管理装置）の機能とリング型端末２００ａ（および図示しないモバイル端末２５０）の機能とは互換的でありうる。
【００６０】
自転車５００ｂとリング型端末２００ａとがペアリングされることによって、例えば自転車５００ｂをリング型端末２００ａのユーザに貸し出すことができる。リング型端末２００ａから提供されるユーザＩＤなどを用いて決済を完了させることができれば、貸し出しにあたって他の手順は必要とされなくてもよい。この場合、例えば、上記で図８に示した例と同様に、リング型端末２００ａと自転車５００ｂとのペアリングが可能であることがＬＥＤ２０２およびＬＥＤ５０６によって表示され、リング型端末２００ａのユーザによってレンタル開始の意思が表示された場合に、リング型端末２００ａと自転車５００ｂとのペアリングが成立し、レンタルが開始されてもよい。その後、ユーザが自転車５００ｂを所定の場所（例えば、貸し出し時と同じステーションなど）に停めた状態で自転車から離れた場合、リング型端末２００ａと自転車５００ｂとのペアリングが解除され、レンタルが終了してもよい。なお、レンタル開始の意思は、例えば、自転車５００ｂに物理的な刺激（叩く、車輪を回転させるなど）を与えることによって表示されてもよいし、自転車５００ｂが有するベルを鳴らす、別途設けられたレンタル開始ボタンを押下するなどの方法で表示されてもよい。
【００６１】
また、付加的な構成として、例えば貸自転車のステーションに選択可能な複数の自転車５００ｂが配置されており、リング型端末２００ａがそのそれぞれとペアリング可能である場合、例えばそれらの自転車５００ｂの管理装置において実装されるペアリング制御部は、いずれかの自転車５００ｂ（または管理装置自身）とリング型端末２００ａとの通信によってリング型端末２００ａからユーザプロファイルの提供を受け、ユーザプロファイルに登録されたユーザの身長や年齢などに基づいて、ユーザによる利用に適すると推定される１または複数の自転車５００ｂを抽出してもよい。この場合、抽出された自転車５００ｂにおいてＬＥＤ５０６が点灯し、ペアリングに適しているのがその自転車であることをユーザに通知する。
【００６２】
上記のような自転車５００ｂの例では、例えば簡便な手順で自転車５００ｂをレンタルすることが可能であるが、それに加えて、リング型端末２００ａによって提供されるユーザＩＤなどに関連付けてレンタルのログが残される。従って、ユーザがレンタル中にモバイル端末２５０などを用いてサービス提供者のサーバにアクセスすることによって、レンタル契約の状態（残り時間、料金など）を確認したり、事後的にレンタルの履歴を確認したりすることが容易になる。なお、上記のような自転車５００ｂの例は、自転車には限らず自動車などの他の乗り物でも同様に実現可能である。
【００６３】
図１１は、本開示の他の実施形態の第３の例について説明するための図である。図１１を参照すると、システム４０は、リング型端末２００ａと、売り物の装置（device  for  sale）５００ｃとを含む。図示された例では、例えば上記で図４を参照して説明した例と同様に、装置５００ｃに対して振るなどの物理的な刺激が与えられた場合に、装置５００ｃとリング型端末２００ａとのペアリングの状態に応じて、リング型端末２００ａのＬＥＤ２００と、装置５００ｃのＬＥＤ５０６とが点灯する。この例において、ＬＥＤ２０２およびＬＥＤ５０６の点灯は、例えば装置５００ｃが有するプロセッサによって実現される出力制御部（上記の図６に示された出力制御部１５８と同様の機能を有しうる）によって制御される。このとき、例えばＬＥＤ２０２およびＬＥＤ５０６の点灯パターンを装置５００ｃへの物理的な刺激のパターンに対応させることによって、点灯が装置５００ｃへの刺激に対応して発生していることを明示することができる。
【００６４】
上記の例と同様に、さらに、装置５００ｃが有するプロセッサによって実現されるペアリング制御部（上記の図６に示されたペアリング処理部１５６と同様の機能を有しうる）が、装置５００ｃに対して与えられた物理的な刺激などに応じて装置５００ｃとリング型端末２００ａとのペアリング状態を変化させてもよい。また、上記で図３を参照して説明した例と同様に、装置５００ｃには必ずしもＬＥＤ５０６のような出力装置が設けられなくてもよい。また、ＬＥＤ２０２およびＬＥＤ５０６の点灯は、上記の図５のように制御されてもよい。また、上記のような出力制御部およびペアリング処理部に関して、装置５００ｃの機能とリング型端末２００ａ（および図示しないモバイル端末２５０）の機能とは互換的でありうる。
【００６５】
売り物の装置５００ｃとリング型端末２００ａとがペアリングされることによって、例えば装置５００ｃをリング型端末２００ａのユーザに販売することができる。リング型端末２００ａから提供されるユーザＩＤ等を用いて決済を完了させることができれば、販売にあたって他の手順は必要とされなくてもよい。この場合、例えば、上記で図８に示した例と同様に、リング型端末２００ａと装置５００ｃとのペアリングが可能であることがＬＥＤ２０２およびＬＥＤ５０６によって表示され、リング型端末２００ａのユーザによって購入の意思が表示された場合に、リング型端末２００ａと売り物の装置５００ｃとのペアリングが成立し、装置５００ｃの所有権がリング型端末２００ａのユーザに移転してもよい。なお、購入の意思は、例えば、装置５００ｃに物理的な刺激（振るなど）を与えることによって表示されてもよいし、装置５００ｃに設けられたボタンやタッチパネルなどの入力装置をユーザが操作することによって表示されてもよい。
【００６６】
（６．使用シナリオの例）
さらに、上記で説明した例のうちのいくつかについて、より具体的なシナリオを挙げて説明する。
【００６７】
（６−１．ペンとリング型端末とのペアリング開始および終了）
まず、上記で図３〜図５を参照して説明したような、ペン１００とリング型端末２００ａとのペアリングの例におけるシナリオについて説明する。
【００６８】
（１）ペン１００とリング型端末２００ａとが近接することによって、これらの装置の間でＢｌｕｅｔｏｏｔｈ（登録商標）による通信が自動的にセットアップされる。
（２）通信がセットアップされると、ペアリングに関するユーザの意思表示を待機する状態になり、リング型端末２００ａのＬＥＤ２０２が所定の時間的なパターンで（一例として、１Ｈｚ程度の周波数で）点滅する。
（３）ＬＥＤ２０２の点滅に合わせてユーザがペン１００を振り、例えば２，３回にわたってペン１００の揺動とＬＥＤ２０２の点滅とが同期した場合、ユーザによってペアリング開始の意思が表示されたとみなされる。この場合、レシーバ１５０のペアリング処理部１５６が、ペン１００とリング型端末２００ａとの間での認証およびサービス上での関連付けの処理を実行し、ペン１００とリング型端末２００ａとのペアリングが完了する。ペアリングの完了後、ＬＥＤ２０２がそれまでとは異なるパターンで点灯する（例えば、素早く２回点滅する）ことによって、ペアリングの完了がユーザに通知されてもよい。
（４）上記のような手順でペアリングが完了した後は、ユーザが任意のタイミングでペン１００を振ることによって、その振り方に合わせてＬＥＤ２０２が点灯する。これによって、ユーザは、ペン１００とリング型端末２００ａとのペアリングが継続されていることを容易に認識することができる。
【００６９】
なお、変形例として、上記の（２）および（３）の一部の手順が省略され、例えば、ユーザがリング型端末２００ａを装着した手でペン１００を把持し（この時点までＬＥＤ２０２による通知はされていない）、その状態でペン１００を振った場合には、自動的にペン１００とリング型端末２００ａとのペアリングが完了されてもよい。
また、別の変形例として、上記の（３）において、ユーザがペン１００の代わりにリング型端末２００ａを振ってもよい。
【００７０】
上記の例におけるペアリング終了の意思表示として、例えば、ユーザは、ペン１００を机などに置き、リング型端末２００ａだけを振ってもよい。あるいは、ユーザは、ペン１００をリング型端末２００ａとは反対側の手に持ったうえで、ペン１００とリング型端末２００ａとをそれぞれ振ってもよい。いずれの場合も、ペン１００のセンサ１０４およびリング型端末２００ａのセンサ２０４によって、互いに対応しない物理的な刺激が検出されるため、レシーバ１５０のペアリング処理部１５６および／またはモバイル端末２５０のペアリング処理部２５４は、ユーザがペアリングを終了させる意思をもっていると推測することができる。なお、ペアリング終了の意思表示は、例えばペン１００および／またはリング型端末２００ａに別途設けられるペアリング解除ボタンを押下することによって取得されてもよい。
【００７１】
（６−２．貸自転車）
次に、上記で図１０を参照して説明したような、自転車５００ｂとリング型端末２００ａとのペアリングの例におけるシナリオについて説明する。
【００７２】
（１）自転車５００ｂとリング型端末２００ａとが近接することによって、これらの装置の間でＢｌｕｅｔｏｏｔｈ（登録商標）による通信が自動的にセットアップされる。なお、この時点で自転車５００ｂは、管理装置として機能する自転車スタンドによってロックされている。
（２）通信がセットアップされると、ペアリングに関するユーザの意思表示を待機する状態になり、リング型端末２００ａのＬＥＤ２０２が所定の時間的なパターンで（一例として、１Ｈｚ程度の周波数で）点滅する。
（３）ＬＥＤ２０２の点滅に合わせてユーザが自転車５００ｂのブレーキレバーを握り、例えば２，３回にわたってブレーキレバーの動きとＬＥＤ２０２の点滅とが同期した場合、ユーザによってペアリング開始（つまり、レンタル開始）の意思が表示されたとみなされる。この場合、自転車スタンドが有するプロセッサによって実現されるペアリング処理部が、自転車５００ｂとリング型端末２００ａとの間での認証およびサービス上での関連付けの処理を実行し、自転車５００ｂとリング型端末２００ａとのペアリングが完了する。ペアリングの完了後、自転車スタンドによるロックが解除され、自転車５００ｂは利用可能になる。
（４）上記のような手順でペアリングが完了した後は、ユーザが任意のタイミングで自転車５００ｂのブレーキレバーを握ることによって、その握り方に合わせてＬＥＤ２０２が点灯する。これによって、ユーザは、自転車５００ｂとリング型端末２００ａとのペアリングが継続されていることを容易に認識することができる。
（５）使用後、自転車５００ｂを自転車スタンドに戻すことによって、ペアリングが終了される。この状態において、ユーザは、自転車５００ｂのブレーキレバーを握り、握ってもＬＥＤ２０２が点灯しないことによって、レンタルが正常に終了したことを容易に認識することができる。
【００７３】
（７．ハードウェア構成）
次に、図１２を参照して、本開示の実施形態に係る情報処理装置のハードウェア構成について説明する。図１２は、本開示の実施形態に係る情報処理装置のハードウェア構成例を示すブロック図である。図示された情報処理装置９００は、例えば、上記の実施形態におけるペン１００、レシーバ１５０、ウェアラブル装置２００、および／またはモバイル端末２５０などを実現しうる。
【００７４】
情報処理装置９００は、ＣＰＵ（Central  Processing  unit）９０１、ＲＯＭ（Read  Only  Memory）９０３、およびＲＡＭ（Random  Access  Memory）９０５を含む。また、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、情報処理装置９００は、必要に応じて、撮像装置９３３、およびセンサ９３５を含んでもよい。情報処理装置９００は、ＣＰＵ９０１に代えて、またはこれとともに、ＤＳＰ（Digital  Signal  Processor）、ＡＳＩＣ（Application  Specific  Integrated  Circuit）、またはＦＰＧＡ（Field-Programmable  Gate  Array）などの処理回路を有してもよい。
【００７５】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【００７６】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【００７７】
出力装置９１７は、取得した情報をユーザに対して視覚や聴覚、触覚などの感覚を用いて通知することが可能な装置で構成される。出力装置９１７は、例えば、ＬＣＤ（Liquid  Crystal  Display）または有機ＥＬ（Electro-Luminescence）ディスプレイなどの表示装置、スピーカまたはヘッドフォンなどの音声出力装置、もしくはバイブレータなどでありうる。出力装置９１７は、情報処理装置９００の処理により得られた結果を、テキストもしくは画像などの映像、音声もしくは音響などの音声、またはバイブレーションなどとして出力する。
【００７８】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶デバイス、半導体記憶デバイス、光記憶デバイス、または光磁気記憶デバイスなどにより構成される。ストレージ装置９１９は、例えばＣＰＵ９０１が実行するプログラムや各種データ、および外部から取得した各種のデータなどを格納する。
【００７９】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【００８０】
接続ポート９２３は、機器を情報処理装置９００に接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（登録商標）（High-Definition  Multimedia  Interface）ポートなどであってもよい。接続ポート９２３に外部接続機器９２９を接続することで、情報処理装置９００と外部接続機器９２９との間で各種のデータが交換されうる。
【００８１】
通信装置９２５は、例えば、通信ネットワーク９３１に接続するための通信デバイスなどで構成された通信インターフェースである。通信装置９２５は、例えば、ＬＡＮ（Local  Area  Network）、Ｂｌｕｅｔｏｏｔｈ（登録商標）、Ｗｉ−Ｆｉ、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などを含みうる。
【００８２】
撮像装置９３３は、例えば、ＣＭＯＳ（Complementary  Metal  Oxide  Semiconductor）またはＣＣＤ（Charge  Coupled  Device）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【００８３】
センサ９３５は、例えば、加速度センサ、角速度センサ、地磁気センサ、照度センサ、温度センサ、気圧センサ、または音センサ（マイクロフォン）などの各種のセンサである。センサ９３５は、例えば情報処理装置９００の筐体の姿勢など、情報処理装置９００自体の状態に関する情報や、情報処理装置９００の周辺の明るさや騒音など、情報処理装置９００の周辺環境に関する情報を取得する。また、センサ９３５は、ＧＰＳ（Global  Positioning  System）信号を受信して装置の緯度、経度および高度を測定するＧＰＳ受信機を含んでもよい。
【００８４】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【００８５】
（８．補足）
本開示の実施形態は、例えば、上記で説明したような情報処理装置（ペン１００、レシーバ１５０、ウェアラブル装置２００、および／またはモバイル端末２５０）、システム、情報処理装置またはシステムで実行される情報処理方法、情報処理装置を機能させるためのプログラム、およびプログラムが記録された一時的でない有形の媒体を含みうる。
【００８６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００８８】
なお、以下のような構成も本開示の技術的範囲に属する。
（１）第１の装置または第２の装置の少なくともいずれかに含まれるセンサによって物理的な刺激が検出された場合に、前記第１の装置または前記第２の装置の少なくともいずれかに含まれる出力装置による前記第１の装置および前記第２の装置のペアリング状態の表示を変化させる出力制御部を備える制御装置。
（２）前記出力制御部は、前記物理的な刺激が検出された場合に前記ペアリング状態の表示を開始させる、前記（１）に記載の制御装置。
（３）前記物理的な刺激は、第１の時間的なパターンで検出され、
前記出力制御部は、前記第１の時間的なパターンに従った前記ペアリング状態の表示を開始させる、前記（２）に記載の制御装置。
（４）前記出力制御部は、前記物理的な刺激が検出された場合に前記ペアリング状態の表示を終了させる、前記（１）〜（３）のいずれか１項に記載の制御装置。
（５）前記物理的な刺激が検出された場合に前記ペアリング状態を変化させるペアリング処理部をさらに備え、
前記出力制御部は、変化後の前記ペアリング状態に応じて前記ペアリング状態の表示を変化させる、前記（１）〜（４）のいずれか１項に記載の制御装置。
（６）前記物理的な刺激が検出された場合は、最初に前記センサによって物理的な刺激が検出された第１の場合と、その後さらに前記センサによって物理的な刺激が検出された第２の場合とを含み、
前記ペアリング状態は、第１の状態と、前記第１の状態から遷移可能な第２の状態とを含み、
前記第１の場合に、前記出力制御部は前記第１の状態の表示を開始させ、
前記第２の場合に、前記ペアリング処理部は前記ペアリング状態を前記第２の状態に変化させ、前記出力制御部は前記第１の状態の表示を終了させて前記第２の状態の表示を開始させる、前記（５）に記載の制御装置。
（７）前記第１の状態の表示は、光、音、または振動を第１の時間的なパターンで発生させることを含み、
前記第２の場合は、前記第１の時間的なパターンに対応する前記物理的な刺激が検出された場合を含む、前記（６）に記載の制御装置。
（８）前記第１の状態は、前記第１の装置と前記第２の装置とがペアリング可能である状態を含み、
前記第２の状態は、前記第１の装置と前記第２の装置とがペアリングされて利用可能である状態を含む、前記（６）または（７）に記載の制御装置。
（９）前記第１の状態は、前記第１の装置と前記第２の装置とがペアリングされて利用可能である状態を含み、
前記第２の状態は、前記第１の装置と前記第２の装置との間のペアリングが解消された状態を含む、前記（６）に記載の制御装置。
（１０）前記物理的な刺激は、加速度の変化によって検出される、前記（１）〜（９）のいずれか１項に記載の制御装置。
（１１）第１の装置は、ユーザによって装着または携帯される装置を含み、
前記第２の装置は、前記ユーザが一時的に利用可能な複数の装置を含み、
前記出力制御部は、前記第１の装置に含まれるセンサによって物理的な刺激が検出された場合に、前記第２の装置の中から、前記ユーザによる利用に適した１または複数の装置を抽出し、該抽出された１または複数の装置に含まれる出力装置による前記ペアリング状態の表示を開始させる、前記（１）〜（１０）のいずれか１項に記載の制御装置。
（１２）前記出力制御部は、前記第１の装置が利用可能なユーザプロファイルを参照して、前記１または複数の装置を抽出する、前記（１１）に記載の制御装置。
（１３）プロセッサが、第１の装置または第２の装置の少なくともいずれかに含まれるセンサによって物理的な刺激が検出された場合に、前記第１の装置または前記第２の装置の少なくともいずれかに含まれる出力装置による前記第１の装置および前記第２の装置のペアリング状態の表示を変化させることを含む制御方法。
（１４）第１の装置または第２の装置の少なくともいずれかに含まれるセンサによって物理的な刺激が検出された場合に、前記第１の装置または前記第２の装置の少なくともいずれかに含まれる出力装置による前記第１の装置および前記第２の装置のペアリング状態の表示を変化させる機能をコンピュータに実現させるためのプログラム。
【符号の説明】
【００８９】
１０，２０，３０，４０    システム
１００    ペン
１０２    筆記処理部
１０４    センサ
１０６    ＬＥＤ
１０８    通信部
１５０    レシーバ
１５２    通信部
１５４    筆記処理部
１５６    ペアリング処理部
１５８    出力処理部
２００    ウェアラブル装置
２００ａ    リング型端末
２００ｂ    リストウェア
２０２    ＬＥＤ
２０４    センサ
２０６    通信部
２５０    モバイル端末
２５２    通信部
２５４    ペアリング処理部
２５６    出力制御部
３００    サーバ
４００ａ    タブレット
４００ｂ    電子黒板
５００ａ    カメラ
５００ｂ    自転車
５００ｃ    売り物の装置
【図１】
2016162368.tif 000003
【図２】
2016162368.tif 000004
【図３】
2016162368.tif 000005
【図４】
2016162368.tif 000006
【図５】
2016162368.tif 000007
【図６】
2016162368.tif 000008
【図７】
2016162368.tif 000009
【図８】
2016162368.tif 000010
【図９】
2016162368.tif 000011
【図１０】
2016162368.tif 000012
【図１１】
2016162368.tif 000013
【図１２】
2016162368.tif 000014